(57)【要約】【課題】単一の光源を用いて、下方への光の照射と、天井面への明確な光のラインの照射とを行う。【解決手段】本発明の照明器具１は、天井面から吊り下げられた光源３と、光源３の周囲を覆うシェード２と、シェード２内で光源３よりも下方位置且つ径方向外方位置に設けられた反射鏡４とを備える。シェード２の軸方向中途部には周方向に延びる光透過窓部５を形成する。光源３は窓部５よりも上方位置に設けられ、反射鏡は窓部よりも下方位置に設けられる。これにより、光源３から放射される光の一部が反射鏡４により反射され、この反射光を窓部５を通って天井面に投射させるとともに、シェード２の下端開口部から下方に向けて光源３からの光の残部を投射させる。【選択図】図１
2015050076.tif 000002
【特許請求の範囲】
【請求項１】
天井面から吊り下げられた光源と、該光源の周囲を覆うシェードと、該シェード内で前記光源よりも下方位置且つ径方向外方位置に設けられた反射鏡とを備え、前記シェードの軸方向中途部には周方向に延びる光透過窓部が形成され、前記光源は前記窓部よりも上方位置に設けられ、前記反射鏡は前記窓部よりも下方位置に設けられるとともに上面が鏡面とされ、これにより前記光源から放射される光の一部が前記鏡面により反射されて該反射光が前記窓部を通って天井面に投射され、前記シェードの下端開口部から下方に向けて光源からの光の残部が投射されることを特徴とする照明器具。
【請求項２】
請求項１に記載の照明器具において、前記シェードは、前記光源の周囲を覆う上シェード部と、前記反射鏡の周囲を覆う下シェード部と、前記上シェード部に対して下シェード部を上記窓部を設けた状態で支持する支持部材とを備えていることを特徴とする照明器具。
【請求項３】
請求項２に記載の照明器具において、前記支持部材は、上下シェード部の内部に収容され、前記反射鏡は、支持部材と下シェード部材との間に配設されていることを特徴とする照明器具。
【請求項４】
請求項３に記載の照明器具において、前記支持部材は、透明乃至半透明の円筒状部材であり、前記光源は円筒状部材の径方向内側に位置することを特徴とする照明器具。
【請求項５】
請求項１〜４のいずれか１項に記載の照明器具において、前記光源は点光源であり、前記シェードの光透過窓部は円筒形であり、前記光源は、前記円筒形の軸中心部に配設されていることを特徴とする照明器具。
【発明の詳細な説明】
【技術分野】
【０００１】
本発明は、天井面に光の模様を照射し得る天井吊り下げ式の照明器具に関する。
【背景技術】
【０００２】
この種従来の天井吊り下げ式の照明器具として、例えば、下記の特許文献１に開示されたものが知られている。この従来の照明器具は、円筒状シェードの上部を透明素材により構成し、この透明部位の内部に複数の発光ダイオード光源を配設している。したがって、光源からの光はシェードから下方に投射されるとともに、光源からの光の一部はシェードの透明部位から側方及び斜め上方に漏れ出し、この漏れ出した光によって吊り下げ位置の周囲の天井面が仄かに照らされるようになる。
【先行技術文献】
【特許文献】
【０００３】
【特許文献１】意匠登録第１３２０１０４号公報
【発明の概要】
【発明が解決しようとする課題】
【０００４】
しかし、上記従来の照明器具では、散乱光が透明部位から漏れ出すことにより天井面を仄かに照らすものであるため、天井面に明確な光のラインを照射することはできない。
【課題を解決するための手段】
【０００５】
本発明の照明器具は、天井面から吊り下げられた光源と、該光源の周囲を覆うシェードと、該シェード内で前記光源よりも下方位置且つ径方向外方位置に設けられた反射鏡とを備え、前記シェードの軸方向中途部には周方向に延びる光透過窓部が形成され、前記光源は前記窓部よりも上方位置に設けられ、前記反射鏡は前記窓部よりも下方位置に設けられるとともに上面が鏡面とされ、これにより前記光源から放射される光の一部が前記鏡面により反射されて該反射光が前記窓部を通って天井面に投射され、前記シェードの下端開口部から下方に向けて光源からの光の残部が投射される。
【０００６】
かかる本発明の照明器具によれば、シェード内に設けた光源からの光の一部は、光源から斜め下方に照射されて反射鏡により反射され、反射鏡から斜め上方に進んで窓部を通過し、この窓部を通過した光が天井面に照射される。したがって、光源から照射される光のうち、光源、反射鏡及び窓部の相互の位置関係及び幅によって規定される所定角度範囲の照射光のみが窓部を通過して天井面に照射されるため、明確な円形状乃至円弧状の光のラインが天井面に照射される。また、単一の光源により、ダウンライトとしての下方への光の照射と、天井面への光のラインの照射とを行えるので、製造コストも低減できる。また、反射鏡をリング状に構成しておくことにより、天井面に光の輪を照射することができ、さらに、この反射鏡の上面の周方向一部を任意の形の光吸収性乃至光散乱性のカバーで覆うことにより、Ｃ字状などの光のラインを天井面に照射させることができる。
【０００７】
なお、シェードは、光を透過しない材質により構成することが好ましいが、多少の光を透過するものであってもよい。また、シェードは円筒形や円錐筒形などの円筒状とするのが好ましい。上記窓部は、スリットにより構成することが好ましいが、透明素材によって構成されていてもよい。また、反射鏡はリング状乃至Ｃ字状とするのが好ましく、該リングの中央開口部は透明素材で覆うこともできる。
【０００８】
上記本発明の、照明器具において、前記シェードは、前記光源の周囲を覆う上シェード部と、前記反射鏡の周囲を覆う下シェード部と、前記上シェード部に対して下シェード部を上記窓部を設けた状態で支持する支持部材とを備えているものとすることができる。これによれば、上下シェード部材を上下に離間した状態で支持部材によって支持することができる。
【０００９】
さらに、前記支持部材は、上下シェード部の内部に収容され、前記反射鏡は、支持部材と下シェード部材との間に配設されていてよい。これによれば、支持部材をシェード内に収容しながらも反射鏡の径を大きくすることができ、天井面に照射される光の輪の径も大きくすることができる。
【００１０】
また、前記支持部材は、透明乃至半透明の円筒状部材であり、前記光源は円筒状部材の径方向内側に位置するものであってよい。これによれば、支持部材の影が生じることを回避できる。なお、支持部材を、周方向に離間して環状に配設された複数のロッドにより構成し、積極的にロッドの影が天井面に投影されるように構成することも可能である。
【００１１】
また、前記光源は点光源であり、前記シェードの光透過窓部は円筒形であり、前記光源は、前記円筒形の軸中心部に配設されていることが好ましい。これによれば、天井面に照射される光のラインの境界が一層明確なものとなる。
【発明の効果】
【００１２】
本発明の照明器具によれば、単一の光源を用いて、下方への光の照射と、天井面への明確な光のラインの照射とを行うことができる。
【図面の簡単な説明】
【００１３】
【図１】本発明の一実施形態に係る照明器具の半断面正面図である。
【図２】同照明器具の使用例を示す説明図である。
【発明を実施するための形態】
【００１４】
図１は本発明の一実施形態に係る天井吊り下げ式照明器具１を示し、該照明器具１は、円筒状シェード２と、該シェード２内に設けられたＬＥＤ光源３と、シェード２内に設けられたリング状の反射鏡４とを備えている。
【００１５】
シェード２は、同一径の円筒状の上シェード部２ａ及び下シェード部２ｂからなり、これら上シェード部２ａ及び下シェード部２ｂは上下方向に離間して配設され、上シェード部２ａと下シェード部２ｂとの間にスリットからなる光透過窓部５が開口形成されている。上下シェード部２ａ，２ｂは、不透明の金属材若しくは合成樹脂材からなり、好ましくは光反射率８０％未満の素材からなる。
【００１６】
下シェード部２ｂは、ガラスやポリカーボネートなどの透明素材からなる円筒状の支持部材６を介して上シェード部２ａに連結支持されている。この支持部材６は、その外径が上下シェード部２ａ，２ｂの内径よりも小さく、上下シェード部２ａ，２ｂの内部に同心状に収容されている。なお、支持部材６として、ピアノ線のような極細の吊り下げ部材を用いることも可能である。
【００１７】
ＬＥＤ光源３は、点光源であり、シェード２の軸中心部に配設されている。また、光源３は、窓部５よりも上方位置でシェード２内に取付け固定されている。なお、光源３の下方や周囲には、光を拡散させる拡散板や、光を反射させる反射板などを設けないことが好ましい。
【００１８】
反射鏡４は、リング状の金属板からなり、例えば上面が鏡面仕上げされたステンレス板によって構成できる。この反射鏡４の上面の反射率（垂直入射の場合）は８０％以上、より好ましくは９０％以上とすることができる。この反射鏡４は、窓部５よりも下方で下シェード部２ｂに取付け固定されている。また、反射鏡４は、支持部材６の外周面と下シェード部２ｂの内周面との間に嵌め込まれており、光源３よりも径方向外側に配置されている。
【００１９】
なお、下シェード部２ｂには、磨りガラスからなるカバー７が内嵌されており、光源３から照射される光が反射鏡４の中央開口部を通過してカバー７で拡散されて、下シェード部２ｂの下端開口部から下方に照射される。
【００２０】
次に、照明器具１の使用例について図２を参照しつつ説明する。
【００２１】
図２（ａ）は、照明器具１を単体で使用する場合の典型的な使用例を示している。この場合、照明器具１は天井面から吊り下げられ、光源３から照射される光の一部は反射鏡４で反射されて窓部５を通過して斜め上方に照射され、この反射光によって図下側に示すように天井面に円形状の光のラインが形成され、光源３から照射される光の残部はカバー７を介して下方に照射される。
【００２２】
図２（ｂ）は、４つの照明器具１を十字状のアーム８で連結して天井面から吊り下げた例を示す。この場合、各照明器具１の反射鏡４の周方向一部、例えば４０°の角度範囲をカバーで覆うことにより、図下側に示すように花のような光の模様を形成できる。
【００２３】
図２（ｃ）は、４つの照明器具１を傾斜させてアーム９で連結して天井面から吊り下げ、各照明器具１の反射鏡４を約１８０°の角度範囲にわたってカバーで覆った例を示し、この場合も、図２（ｂ）とはまた違った光の模様を形成できる。
【００２４】
本発明の照明器具は、スポットライトやペンダントライトなど、種々の天井吊り下げ式の照明器具に適用できる。また、本発明の照明器具を複数用いて、天井面に光の文字のラインを照射させることも可能である。また、円筒状シェードの形状は、直円筒形に限定されるものではなく、円錐筒形や、軸方向中央部が径方向に窪んだ若しくは膨らんだ形など、断面円形の回転体形状とすることができる。また、シェードは、少なくとも窓部を定義する部位が円形であることが好ましいが、他の部位は適宜の形状であってよい。また、反射鏡の上面に、例えばカラー印刷した透明フィルムを貼り付けることにより、印刷でなければ表現できないような繊細なカラーイメージを天井面に投影することもでき、店舗名等の文字なども天井面に投影することが可能である。また、支持部材は、上下シェード全体の外周を覆う透明素材の円筒状カバーなどにより構成することもできる。
【符号の説明】
【００２５】
１  照明器具
２  シェード
２ａ  上シェード部
２ｂ  下シェード部
３  光源
４  反射鏡
５  光透過窓部
【図１】
2015050076.tif 000003
【図２】
2015050076.tif 000004